(57)【要約】【課題】  弱視の人が読む文書は、ＵＤデザイン書体の文書となりつつある。新規作成する文書は、ＵＤデザイン書体の文字を使用することが出来る。しかし、通常文字で書かれた文書の複写文書は読ことが出来ない問題がある。弱視の人が読むことが出来るＵＤ書体の複写文書を生成できる複写機が求められている。【解決手段】  上記課題を解決するために複写文字をＵＤ書体化する単一機能の複写機とするものである。多くの原稿に書かれた文字の書体をＵＤ書体に変換し、ＵＤ書体で書かれた文字の複写紙を生成する。複写機操作面に書体一覧表からＵＤ書体を選択し、スキャナー部で原稿の文字、画像を認識し、書体制御部で認識した文字を選択ＵＤ書体の文字に置換え、原稿イメージに編集し、複写するＵＤ書体化複写機とするものである。【選択図】図１
2020184661.tif 000002
【特許請求の範囲】
【請求項１】
複合機において、通常複写  および  原稿文の文字書体から選択文字書体に変換し、変換文字書体で複写することを特徴とする書体変換機能付き複合機。
【請求項２】
操作面の文字書体変換が「有」・「無」のメニュー部で、「無」を選択した場合は、従来の複写機能操作。
「有」を選択した場合は、複写文字変換機能で書体一覧表の表示と変換書体を選択し、選択文字書体で複写することを特徴とする請求項１記載の書体変換機能付き複合機。
【請求項３】
文字書体変換選択を受け原稿文書の文字書体、画像を認識するまで複数回スキャンを実施し文字書体と画像認識することを特徴とする請求項１記載の書体変換機能付き複合機。
【請求項４】
スキャナー部の文字認識と画像認識から選択書体の文字と画像を原稿イメージに編集する機能と複合機の複写機能へ伝送する機能からなる書体制御部であることを特徴とする請求項１記載の書体変換機能付き複合機。
【発明の詳細な説明】
【技術分野】
【０００１】
本発明は、メニュー機能の文字書体変換で複写方法を選択し、原稿を読み取り複写  または  読み取った文字を選択書体に変換し複写する書体変換機能付き複合機に関する。
【背景技術】
【０００２】
視覚障害者向けの文書は、読めるＵＤデジタル書体を使用している。一般文書に記載された文字は、明朝体、ゴシック体等が代表的書体である。新たな一般文書からの複写文書、古い文書からの複写文書は、視覚障害者が読むことが困難で理解できない問題がある。
【０００３】
端末装置でフォント受付、変換し、印刷ジョブに送信、文書プリントする情報処理装置、画像形成・印刷制御システムがある。（特許文献１参照）
【先行技術文献】
【特許文献】
【０００４】
【特許文献１】特願２０１０−７９６２０
【発明の概要】
【発明が解決しようとする課題】
【０００５】
複合機が持つ機能に、書体変換を選択出来るメニュー機能、原稿文書の画像と文字書体を認識するスキャナー部および複写文書の編集と本体複写機能へ伝送する書体制御部を装備することを目的とするものである。
【課題を解決するための手段】
【０００６】
本発明は、通常複写又は書体変換を選択するメニュー部、 原稿文書の書体文字、画像を認識するスキャナー部、選択書体と画像を原稿イメージに編集し、伝送する書体制御部  および  複写機能を装備しているものである。
【０００７】
複合機操作面のメニュー部は、複写時に書体変換する「無」・「有」の選択部を有し、「無」を選択した場合は、通常の複写機能操作とする。「有」を選択した場合は、書体選択メニューで書体の選択を受け、スキャナー部で複数回スキャンを実施し文字書体と画像認識する。
書体制御部は、スキャナー部の文字認識と画像認識から選択書体の文字と画像を原稿イメージに編集する機能と複合機の複写機能へ伝送する機能である。
【発明の効果】
【０００８】
本発明の書体変換機能付き複合機は、メニュー機能から変換したい書体を選択することで、選択書体の文字で原稿イメージに編集し、複写することができる。一つの例として、選択文字書体をＵＤデジタル書体とすることで、複写文書を視覚障害者が読むことが出来る。
【図面の簡単な説明】
【０００９】
【図１】本発明の書体変換機能付き複合機の構成を示す機能構成図である。
【発明を実施するための形態】
【００１０】
以下、本発明の実施形態を図１に基づいて説明する。
【００１１】
複写操作は、メニュー画面にある文字書体変換「有」・「無」の選択で「無」の選択は、通常の複写機能操作となる。「有」を選択した場合は、文字書体選択メニュー画面で文字書体表示から文字書体を選択する。
【００１２】
スキャナー部は、文字書体の変換を受け複数回スキャンを実施し、画像  および  文字書体を認識する。
【００１３】
書体制御部は、スキャナー部の文字認識と画像認識を受け、指示ある選択文字書体表から認識文字と同じ文字を選出し、原稿文面を選択文字書体と画像から成る原稿イメージに編集して編集文面を複合機の複写機能に伝送し、複写する。
【図１】
2020184661.tif 000003
【手続補正書】
【提出日】令和2年8月27日(2020.8.27)
【手続補正１】
【補正対象書類名】明細書
【補正対象項目名】全文
【補正方法】変更
【補正の内容】
【発明の詳細な説明】
【技術分野】
【０００１】
本発明は、原稿をスキャンし、読み原稿文の文字書体をＵＤ書体に変換し複写するＵＤ書体化複写機に関する。
【背景技術】
【０００２】
視覚障害者向けの文書は、読めるＵＤデジタル書体を使用している。一般文書に記載された文字は、明朝体等の書体で読むことが困難である。新たな一般文書からの複写文書、古い文書からの複写文書は、視覚障害者が読むことが困難である。
【０００３】
端末装置でフォント受付、変換し、印刷ジョブに送信、文書プリントする情報処理装置、画像形成・印刷制御システムがある。（特許文献１参照）
【先行技術文献】
【特許文献】
【０００４】
【特許文献１】特願２０１０−７９６２０
【発明の概要】
【発明が解決しようとする課題】
【０００５】
複写機の機能をＵＤ書体に変換し複写する単機能とし、原稿文書の画像と文字書体を認識し、書体制御部で原稿の文字書体をＵＤ書体に変換し複写することを目的とするものである。
【課題を解決するための手段】
【０００６】
本発明のＵＤ書体化複写機は、複写機操作面の書体一覧表からＵＤ書体を選択し、スキャナー部で原稿を認識し、書体制御部でスキャナー部が認識した文字書体を選択したＵＤ書体に変換し、原稿イメージに編集し、複写機能で複写する。
【発明の効果】
【０００７】
本発明のＵＤ書体化複写機は、操作面で変換するＵＤ書体を選択し、選択ＵＤ書体で原稿イメージに編集し、複写することで視覚障害者に見やすい複写紙を提供できる。
【図面の簡単な説明】
【０００８】
【図１】本発明のＵＤ書体化複写機の機能構成を示す概念図である。
【発明を実施するための形態】
【０００９】
以下、本発明の実施形態を図１に基づいて説明する。
【００１０】
複写操作は、操作面の書体一覧表にあるＵＤ書体を選択すると選択ＵＤ書体を書体制御部に伝送する。
スキャナー部は、原稿をスキャンし、画像、文字書体を認識する。
書体制御部は、操作面の書体一覧表からの選択ＵＤ書体の受信と、スキャナー部から文字認識と画像認識を受け、原稿の文字書体から選択ＵＤ書体を検索し、原稿の文字書体を選択ＵＤ書体に変換し原稿イメージに編集し、複写機能で複写する。
【００１１】
操作面の書体一覧表は、選択するＵＤ書体でＵＤゴシック、ＵＤ明朝、ＵＤ丸ゴシック、ＵＤ新聞、ＵＤデジタル教科書体等のフォントが挙げられる。
【手続補正２】
【補正対象書類名】特許請求の範囲
【補正対象項目名】全文
【補正方法】変更
【補正の内容】
【特許請求の範囲】
【請求項１】
複写機において操作面の書体一覧表から変換するＵＤ書体を選択し、スキャナー部で原稿をスキャンし、書体制御部で原稿文字をＵＤ書体に変換し、原稿イメージに編集し、複写することを特徴とするＵＤ書体化複写機。
【手続補正４】
【補正対象書類名】図面
【補正対象項目名】図１
【補正方法】変更
【補正の内容】
【図１】
2020184661.tif 000004